(57)【要約】【課題】重要な（ユーザーが興味のある）ページだけを見やすく印刷する。【解決手段】本発明の一態様は、表示画面に表示されたドキュメントのページ毎にユーザーの生体情報を測定してそのユーザーの興味の強さを表す興味度情報を検出する興味度検出部により検出された、興味度情報をページ番号と対応づけて保存する保存部と、その保存部に保存されているドキュメントのページ毎の興味度情報と、予め設定されている興味度情報に応じた印刷設定とを参照して、ページ毎に印刷設定がなされた印刷ジョブを生成するジョブ生成部と、を備える。【選択図】図７
2018092304.tif 000002
【特許請求の範囲】
【請求項１】
表示画面に表示されたドキュメントのページ毎にユーザーの生体情報を測定して前記ユーザーの興味の強さを表す興味度情報を検出する興味度検出部により検出された前記興味度情報を、ページ番号と対応づけて保存する保存部と、
前記保存部に保存されている前記ドキュメントのページ毎の前記興味度情報と、予め設定されている前記興味度情報に応じた印刷設定とを参照して、ページ毎に印刷設定がなされた印刷ジョブを生成するジョブ生成部と、を備える
印刷設定装置。
【請求項２】
前記興味度情報は、前記ユーザーのページ毎の興味度又は該興味度と相関のある情報である
請求項１に記載の印刷設定装置。
【請求項３】
前記興味度検出部は、前記ユーザーの興味度と相関のある情報として前記ユーザーの脳波を測定する
請求項２に記載の印刷設定装置。
【請求項４】
前記興味度検出部は、前記ユーザーの興味度と相関のある情報として前記ユーザーの脳波を測定する
請求項２に記載の印刷設定装置。
【請求項５】
前記興味度検出部は、前記ユーザーの興味度と相関のある情報として前記ユーザーの視線の動きを測定する
請求項２に記載の印刷設定装置。
【請求項６】
前記保存部として、ドキュメント自体を利用する
請求項１乃至５のいずれかに記載の印刷設定装置。
【請求項７】
複数の情報処理装置とサーバーを含む印刷設定システムであって、
前記サーバーは、
表示画面に表示されたドキュメントのページ毎にユーザーの生体情報を測定して前記ユーザーの興味の強さを表す興味度情報を検出する興味度検出部により検出された前記興味度情報を、ページ番号と対応づけて前記ユーザー毎に保存する保存部と、
前記保存部に前記ユーザー毎に保存された前記ページ番号と前記興味度情報に基づいて、ページ毎に複数の前記ユーザーの興味度情報の平均値を計算する興味度平均値算出部と、を備え、
前記情報処理装置の各々は、
前記サーバーで算出された前記ドキュメントのページ毎の前記興味度情報の平均値と、予め設定されている前記興味度情報に応じた印刷設定とを参照して、ページ毎に印刷設定がなされた印刷ジョブを生成するジョブ生成部と、を備える
印刷設定システム。
【請求項８】
表示画面に表示されたドキュメントのページ毎にユーザーの生体情報を測定して前記ユーザーの興味の強さを表す興味度情報を検出する興味度検出部により検出された前記興味度情報を、ページ番号と対応づけて保存するステップと、
保存された前記ドキュメントのページ毎の前記興味度情報と、予め設定されている前記興味度情報に応じた印刷設定とを参照して、ページ毎に印刷設定がなされた印刷ジョブを生成するステップを、
コンピューターに実行させるための印刷設定プログラム。
【発明の詳細な説明】
【技術分野】
【０００１】
本発明は、ページ単位で印刷設定を指定する印刷設定装置、印刷設定システム及び印刷設定プログラムに関する。
【背景技術】
【０００２】
従来、印刷にかかるコストを抑えるため、プリンタードライバーの印刷設定は、なるべく低コストとなるように初期設定されて運用されることがある。(例えば、モノクロ／２ｉｎ１を初期設定とする等)。
【０００３】
そのような初期設定であっても、重要なドキュメントを印刷する場合には印刷設定を、リッチな設定（例えば、カラー／１ｉｎ１）に変更してドキュメントを見やすく印刷することがある。リッチとは、よりコストがかかる状態や状況を指す。しかし、ドキュメントの全てのページがユーザーにとって重要だとは限らないので、すべてのページの印刷を一律でリッチな印刷設定で行うと、ユーザーにとって重要ではない（興味の無い）ページまでリッチに印刷されてしまい、コストが余計にかかってしまう。
【０００４】
これを解決するために、プリンタードライバーによってはページ単位で印刷設定を指定する機能が搭載されていることがある。この機能を利用すれば、ユーザーにとって重要なページのみリッチに印刷することができるが、ページ毎の印刷設定を手動で行う必要があるため、ユーザーの手間がかかるという問題がある。
【０００５】
例えば、特許文献１には、データ利用者のデータへの重要性の感性を反映した重要度を算出することが可能な、文書データベースに登録されたドキュメントの重要度を算出するシステムが開示されている。このシステムは、重要度の算出に利用する値として、ドキュメントの印刷回数、ドキュメントの印刷部数の累計、ドキュメントの閲覧回数、ドキュメントへの参照やリンクの数、ドキュメントの作成時又は更新時からの経過時間、といったデータを利用する。
【先行技術文献】
【特許文献】
【０００６】
【特許文献１】特開２００７−１２２６８５号公報
【発明の概要】
【発明が解決しようとする課題】
【０００７】
しかしながら、特許文献１に記載の技術は、印刷回数や印刷部数の累計を利用しているが、その数値だけでは、ユーザーにとってのドキュメントの重要度は分からない。また、ドキュメント単位の重要度の算出のみを行っており、ページ単位の重要度の算出には対応していない。
【０００８】
上記の状況から、印刷するドキュメントのうち重要な（ユーザーが興味のある）ページだけを見やすく印刷する手法が要望されていた。
【課題を解決するための手段】
【０００９】
本発明の一態様の印刷設定装置は、表示画面に表示されたドキュメントのページ毎にユーザーの生体情報を測定してそのユーザーの興味の強さを表す興味度情報を検出する興味度検出部により検出された興味度情報を、ページ番号と対応づけて保存する保存部と、その保存部に保存されているドキュメントのページ毎の興味度情報と、予め設定されている興味度情報に応じた印刷設定とを参照して、ページ毎に印刷設定がなされた印刷ジョブを生成するジョブ生成部と、を備える。
【００１０】
本発明の一態様の印刷設定システムは、複数の情報処理装置とサーバーを含む印刷設定システムである。
上記サーバーは、表示画面に表示されたドキュメントのページ毎にユーザーの生体情報を測定してユーザーの興味の強さを表す興味度情報を検出する興味度検出部により検出された興味度情報を、ページ番号と対応づけてユーザー毎に保存する保存部と、その保存部にユーザー毎に保存されたページ番号と興味度情報に基づいて、ページ毎に複数のユーザーの興味度情報の平均値を計算する興味度平均値算出部と、を備える。
上記情報処理装置の各々は、サーバーで算出されたドキュメントのページ毎の興味度情報の平均値と、予め設定されている興味度情報に応じた印刷設定とを参照して、ページ毎に印刷設定がなされた印刷ジョブを生成するジョブ生成部と、を備える。
【００１１】
本発明の一態様の印刷設定プログラムは、表示画面に表示されたドキュメントのページ毎にユーザーの生体情報を測定してユーザーの興味の強さを表す興味度情報を検出する興味度検出部により検出された興味度情報を、ページ番号と対応づけて保存するステップと、保存されたドキュメントのページ毎の興味度情報と、予め設定されている興味度情報に応じた印刷設定とを参照して、ページ毎に印刷設定がなされた印刷ジョブを生成するステップを、コンピューターに実行させるための印刷設定プログラムである。
【発明の効果】
【００１２】
本発明の少なくとも一態様によれば、印刷するドキュメントのうち重要な（ユーザーが興味のある）ページだけを見やすく印刷することができる。
上記した以外の課題、構成及び効果は、以下の実施形態の説明により明らかにされる。
【図面の簡単な説明】
【００１３】
【図１】本発明の第１の実施形態に係る印刷設定システムの全体構成例を示す概略図である。
【図２】本発明の第１の実施形態に係る印刷装置のハードウェア構成例を示すブロック図である。
【図３】本発明の第１の実施形態に係るクライアント端末のハードウェア構成例を示すブロック図である。
【図４】本発明の第１の実施形態に係るクライアント端末に格納されたドキュメント閲覧ソフトウェアの処理の流れを示すフローチャートである。
【図５】本発明の第１の実施形態に係るページ毎の平均心拍数データの例を示す説明図である。
【図６】本発明の第１の実施形態に係るドキュメントのプロパティ領域に記録された心拍数情報の例を示す説明図である。
【図７】本発明の第１の実施形態に係るクライアント端末に格納されたプリンタードライバーの処理の流れを示すフローチャートである。
【図８】本発明の第１の実施形態に係る印刷設定の事前設定の例を示す説明図である。
【図９】本発明の第１の実施形態に係るページ毎の平均心拍数データとプリンタードライバーの印刷設定の例を示す説明図である。
【図１０】本発明の第２の実施形態に係るクライアント端末のハードウェア構成例を示すブロック図である。
【図１１】本発明の第２の実施形態に係るクライアント端末に格納されたドキュメント閲覧ソフトウェアの処理の流れを示すフローチャートである。
【図１２】本発明の第２の実施形態に係るページ毎の脳波から算出した興味度データの例を示す説明図である。
【図１３】本発明の第２の実施形態に係るクライアント端末に格納されたプリンタードライバーの処理の流れを示すフローチャートである。
【図１４】本発明の第２の実施形態に係る印刷設定の事前設定の例を示す説明図である。
【図１５】本発明の第２の実施形態に係るページ毎の脳波から算出した興味度データとプリンタードライバーの印刷設定の例を示す説明図である。
【図１６】本発明の第３の実施形態に係るクライアント端末のハードウェア構成例を示すブロック図である。
【図１７】本発明の第４の実施形態に係る印刷設定システムの全体構成例を示す概略図である。
【図１８】本発明の第４の実施形態に係るサーバーのハードウェア構成例を示すブロック図である。
【図１９】本発明の第４の実施形態に係るクライアント端末に格納されたドキュメント閲覧ソフトウェアの処理の流れを示すフローチャートである。
【図２０】本発明の第４の実施形態に係るサーバーの処理の流れを示すフローチャートである。
【図２１】本発明の第４の実施形態に係るサーバー上にアップロードされたページ毎の平均心拍数データとその平均値の例を示す説明図である。
【図２２】本発明の第４の実施形態に係るクライアント端末に格納されたプリンタードライバーの処理の流れを示すフローチャートである。
【図２３】本発明の第４の実施形態に係るサーバー上にアップロードされたページ毎の平均心拍数データとプリンタードライバーの印刷設定の例を示す説明図である。
【発明を実施するための形態】
【００１４】
以下、本発明を実施するための形態の例について、添付図面を参照しながら説明する。なお、各図において実質的に同一の機能又は構成を有する構成要素については、同一の符号を付して重複する説明を省略する。
【００１５】
＜１．第１の実施形態＞
［印刷設定システムの全体構成］
図１は、本発明の第１の実施形態に係る印刷設定システムの全体構成例を示す概略図である。
図１に示す印刷設定システム１では、印刷装置１０（画像形成装置）とクライアント端末２０とがＬＡＮ等のネットワーク２に接続され、ネットワーク２を介して相互に通信可能に構成されている。また、クライアント端末２０には、興味度検出部３０が接続されている。
【００１６】
印刷装置１０は、クライアント端末２０から出力された印刷ジョブをネットワーク２経由で受信し、印刷ジョブの印刷設定に従って用紙に画像を形成して出力（以下「印刷処理」）する。印刷装置１０は、複数種類の機能（印刷機能、複写機能、スキャン機能、ファクシミリ機能等）を備えた複合機（ＭＦＰ：Multi Function Peripheral）でもよい。なお、印刷装置１０とクライアント端末２０間のデータのやり取りは、ネットワーク２を介さずに、ＵＳＢ（Universal Serial Bus）メモリ等の半導体メモリを介して行われてもよい。
【００１７】
クライアント端末２０は、情報処理装置の一例であり、例えば一般的なパーソナルコンピューターが用いられる。なお、クライアント端末２０として、タブレット端末やスマートフォン等を用いてもよい。クライアント端末２０は、ＯＳ（Operating System）により制御されている。クライアント端末２０には、本実施形態に係る文書ファイル等のドキュメントを表示画面に表示するドキュメント閲覧ソフトウェア２４１や、印刷ジョブの生成を行うプリンタードライバー２４２がインストールされている（後述する図３）。
【００１８】
興味度検出部３０は、表示画面に表示されたドキュメントのページ毎にユーザーの生体情報を測定するデバイスであり、測定結果に基づいて、ページ毎にユーザーの興味の強さを表す興味度情報を計算する。本実施形態の興味度検出部３０は、心拍数を読み取るセンサーを有し、ユーザーの生体に装着して心拍数を測定する。心拍数を測定するデバイスには、リストバンド型で手首にセンサーを取り付けるものや、胸部にセンサーを取り付けるものなどがある。心拍数を読み取るセンサーは、周知慣用技術を用いることができるため、詳細な説明は割愛する。
【００１９】
クライアント端末２０は、表示画面に表示されたドキュメントのページ毎にユーザーの生体情報を測定する興味度検出部３０から、ページ毎にユーザーの興味の強さを表す興味度情報を取得する。そして、クライアント端末２０は、取得した興味度情報を用いて、ページ毎に印刷設定がなされた印刷ジョブを生成する。即ち、本発明では、ドキュメントのページ毎の重要性を、ユーザーの興味度又は興味度と相関のある情報を指標に判断し、ページ単位で印刷設定を行う。
【００２０】
［印刷装置の構成］
図２は、印刷装置１０のハードウェア構成例を示すブロック図である。
印刷装置１０は、全体制御部１１、メモリ１２、画像処理部１３、記憶部１４、画像形成部１５、操作部１６、及びネットワーク通信Ｉ／Ｆ１７を備える。
【００２１】
全体制御部１１は、演算処理を行うとともに、各モジュールの統括的な制御及びモジュール間のデータの受け渡しを行う。全体制御部１１は、ＣＰＵ（Central Processing Unit）又はＭＰＵ（Micro-Processing Unit）等の演算処理装置により構成される。全体制御部１１は、本実施形態に係る各機能を実現するソフトウェアのプログラムコードを記憶部１４から読み出して実行する。
【００２２】
メモリ１２は、全体制御部１１のワークエリアとして機能するメモリ（主記憶装置）であり、ＲＡＭ（Random Access Memory）等により構成される。またメモリ１２には、演算処理の途中に発生した変数やパラメータ等が一時的に書き込まれる。
【００２３】
画像処理部１３は、印刷指示等の対象となった画像に対して拡大／縮小等の種々の処理（例えば割付処理）を施して印刷用の画像データを生成する処理を行う。印刷装置１０で識別できる言語（PDL:PageDescription Language）としては、ＰＣＬやＰｏｓｔＳｃｒｉｐｔなどがある。画像処理部１３で処理された画像データは、ダイレクトメモリアクセス（ＤＭＡ）により、全体制御部１１を介さずにメモリ１２へ直接転送される。
【００２４】
記憶部１４は、メモリ１２の補助的な役割を担う記憶装置（補助記憶装置）であり、通常長時間データを保存することが可能な仕組みを有する。記憶部１４には、ＨＤＤ（Hard Disk Drive）、ＳＳＤ（Solid State Drive）、フレキシブルディスク、光ディスク、光磁気ディスク、ＣＤ−ＲＯＭ、ＣＤ−Ｒ、磁気テープ、不揮発性のメモリカード等が用いられる。
【００２５】
画像形成部１５は、電子写真方式により用紙等の記録媒体に画像を形成する。なお、印刷装置１０は、電子写真方式以外の方法を用いて、用紙に画像を形成（印刷）する構成でてもよい。
【００２６】
操作部１６は、ユーザーの操作内容に応じた入力信号を生成し、全体制御部１１へ出力する。操作部１６は、押しボタン等で構成される。なお、操作部１６を表示パネルに積層されたタッチパネルで構成し、ユーザーによる操作、及び、情報の表示を可能としてもよい。
【００２７】
ネットワーク通信Ｉ／Ｆ１７は、例えばＮＩＣ（Network Interface Card）等が用いられる。ネットワーク通信Ｉ／Ｆ１７は、ＬＡＮ等のネットワーク２を介してクライアント端末２０との間で、印刷ジョブの受信や原稿データの送信等、各種のデータを送受信することが可能である。また、ネットワーク通信Ｉ／Ｆ１７は、ＩＰプロトコル等を用いて、ネットワーク２に接続されたクライアント端末２０を検索するための通信を行う。
【００２８】
［クライアント端末の構成］
図３は、クライアント端末２０のハードウェア構成例を示すブロック図である。
クライアント端末２０は、全体制御部２１、メモリ２２、記憶部２４、操作部２６、ネットワーク通信Ｉ／Ｆ２７、デバイス通信部Ｉ／Ｆ２８、及び表示部２９を備える。
【００２９】
全体制御部２１（ジョブ生成部の一例）は、演算処理を行うとともに、各モジュールの統括的な制御及びモジュール間のデータの受け渡しを行う。全体制御部２１は、ＣＰＵ又はＭＰＵ等の演算処理装置により構成される。全体制御部２１は、本実施形態に係る各機能を実現するソフトウェアのプログラムコードを記憶部２４から読み出して実行する。
【００３０】
メモリ２２は、全体制御部２１のワークエリアとして機能するメモリ（主記憶装置）であり、ＲＡＭ等により構成される。またメモリ２２には、演算処理の途中に発生した変数やパラメータ等が一時的に書き込まれる。
【００３１】
記憶部２４（保存部の一例）は、メモリ２２の補助的な役割を担う記憶装置（補助記憶装置）であり、通常長時間データを保存することが可能な仕組みを有する。記憶部２４には、ＨＤＤ、ＳＳＤ、フレキシブルディスク、光ディスク、光磁気ディスク、ＣＤ−ＲＯＭ、ＣＤ−Ｒ、磁気テープ、不揮発性のメモリカード等が用いられる。
【００３２】
この記憶部２４には、ＯＳ及び各種のパラメータの他に、クライアント端末２０を機能させるためのプログラムとして、ドキュメント閲覧ソフトウェア２４１（図中、閲覧ソフト）やプリンタードライバー２４２（図中、ドライバー）等が格納されている。ドキュメント閲覧ソフトウェア２４１は、例えば文書作成ソフトウェアや図形描画ソフトウェア、ウェブブラウザ、メーラーなどでもよい。プリンタードライバー２４２は、ユーザーに印刷設定画面を提供する印刷設定ＵＩ（User Interface）機能、ドキュメント閲覧ソフトウェア２４１からの印刷指示を印刷装置１０で解釈可能なデータに変換するレンダリング処理機能、ページ毎に印刷設定を行う印刷設定機能などを備える。
【００３３】
クライアント端末２０では、記憶部２４に格納されたドキュメント閲覧ソフトウェア２４１やプリンタードライバー２４２等が必要に応じてメモリ２２にロードされて全体制御部２１による処理が行われ、処理結果が表示部２９に表示される。
【００３４】
操作部２６は、ユーザーの操作内容に応じた入力信号を生成し、全体制御部１１へ出力する。操作部２６は、キーボード、マウス等が用いられる。また操作部２６に、表示部２９に積層されたタッチパネルを適用することもできる。
【００３５】
ネットワーク通信Ｉ／Ｆ２７は、例えばＮＩＣ等が用いられる。ネットワーク通信Ｉ／Ｆ２７は、ＬＡＮ等のネットワーク２を介してクライアント端末２０との間で、印刷ジョブの送信や原稿データの受信等、各種のデータを送受信することが可能である。また、ネットワーク通信Ｉ／Ｆ２７は、ＩＰプロトコル等を用いて、ネットワーク２に接続された印刷装置１０を検索するための通信を行う。
【００３６】
デバイス通信部Ｉ／Ｆ２８は、Ｂｌｕｅｔｏｏｔｈ（登録商標）やＷｉ−Ｆｉ（登録商標）等により、興味度検出部３０との間で無線通信を行う。なお、デバイス通信部Ｉ／Ｆ２８と興味度検出部３０を、ＵＳＢケーブルなどの有線で接続してもよい。
【００３７】
表示部２９は、例えば液晶ディスプレイモニター（表示パネル）などのデバイスであり、クライアント端末２０で行われる処理の結果等を画面に表示する。
【００３８】
興味度検出部３０は、全体制御部２１の制御の下で、ドキュメントを閲覧中のユーザーの生態情報として心拍数を測定する。そして、興味度検出部３０は、測定結果からドキュメントのページ毎にユーザーの興味度、又は興味度と相関のある情報を、興味度情報として検出し、検出結果をクライアント端末２０へ送信する。興味度情報は、ユーザーの興味の強さを表す情報である。
【００３９】
［ドキュメント閲覧ソフトウェアの処理の流れ］
図４は、クライアント端末２０に格納されたドキュメント閲覧ソフトウェア２４１の処理の流れを示すフローチャートであり、興味度と相関のある情報（興味度情報）の検出にユーザーの心拍数を利用する例である。心拍数情報の保存先としてドキュメントファイルを利用する。全体制御部２１が記憶部２４に格納されたドキュメント閲覧ソフトウェア２４１のプログラムを実行することで、本フローチャートの処理が実現される。
【００４０】
まずクライアント端末２０の全体制御部２１は、ドキュメント閲覧ソフトウェア２４１を起動する際に、興味度検出部３０を起動させる（Ｓ１）。興味度検出部３０は、起動後にユーザーの心拍数の測定を開始し、規定のタイミングで心拍数情報を測定時の時刻情報とともに内部メモリに保存する。
【００４１】
次に、全体制御部２１は、操作部２６によりユーザーが選択したドキュメントを開く（Ｓ２）。ステップＳ１の興味度検出部３０を起動する処理とステップＳ２の選択されたドキュメントを開く処理の順番は、逆でもよい。
【００４２】
次に、全体制御部２１は、ユーザーがドキュメントを閉じる操作を行ったかどうか判定する(Ｓ３)。ドキュメントを閉じる操作は行われていない場合（Ｓ３のＮｏ）、全体制御部２１は、閲覧中のページ番号とその時の現在時刻（日時等）をメモリ２２上に記録し(Ｓ４)、ステップＳ３の判定処理に戻る。
【００４３】
次に、ユーザーによるドキュメントを閉じる操作が行われた場合には（Ｓ３のＹｅｓ）、全体制御部２１は、クライアント端末２０の興味度検出部３０から、ユーザーの時刻情報ごとの興味度情報として心拍数情報を取得する(Ｓ５)。
【００４４】
次に、全体制御部２１は、ページ番号と時刻情報、及び、時刻情報ごとの心拍数情報を元に、ユーザーが閲覧したページ毎の心拍数情報を取得する（Ｓ６）。そして、全体制御部２１は、ページ毎の心拍数情報をドキュメントファイル（保存部の一例）に保存する（Ｓ７）。ステップＳ７の処理が終了したら、本フローチャートの処理が終了する。
【００４５】
図５は、ページ毎の平均心拍数データの例を示す。
図５に示すようにページ毎の平均心拍数データは、ページ番号、及び該当ページを閲覧中の平均心拍数（回／分）で構成される。興味度検出部３０は、ユーザーが１ページを閲覧する間に心拍数を数回測定するので、１ページのユーザーの心拍数は複数回の心拍数の平均値で表される。言い換えれば、興味度検出部３０のサンプリング周期は、ユーザーが１ページを閲覧する間に複数回測定することが可能な値である。ただし、心拍数の測定回数は、ユーザーが１ページを閲覧する間に１回でもよい。例えば、ユーザーがページを切り替えるタイミングで、即ち次のページの内容を読み込んで表示するまでの時間に、興味度検出部３０から心拍数を取り込むようにしてもよい。
【００４６】
この例では、ページ番号‘３’のときユーザーの平均心拍数が‘８５’と最も高い。なお、ページ毎のユーザーの心拍数情報として平均心拍数を用いたが、ユーザーが該当ページを閲覧中のもっとも高い心拍数を用いてもよい。
【００４７】
図６は、ドキュメントファイルのプロパティ領域（保存部の一例）に記録された心拍数情報の例を示す。
図６に示すように、ドキュメントファイルＦは、ドキュメント本体Ｄとプロパティ領域Ｐ（メタデータとも呼ばれる）を有する。プロパティ領域Ｐは、ドキュメント本体Ｄの内容（設定情報）を示し、そのドキュメントファイルＦを特定するための情報でもある。プロパティ領域Ｐには、サイズ、ページ数、タイトル、作成者名、件名などの他に、ドキュメントファイルＦのトピックや内容を特定するキーワード等の情報がある。
【００４８】
上記ステップＳ７において、全体制御部２１は、ドキュメントファイルのプロパティ領域Ｐにページ毎の心拍数情報「p1 65, p2 70, …」を書き込むことで、ページ毎の心拍数情報の保存を行う。なお、ドキュメント本体Ｄの各ページの上部及び下部に本文の入力領域と分けられた領域（ヘッダー、フッター）が確保されているので、全体制御部２１は、ドキュメント本体Ｄのヘッダー又はフッター（保存部の一例）にページ毎の心拍数情報を書き込んでもよい。例えばページ毎の心拍数情報は、透明な文字でヘッダー又はフッターに書き込まれる。全体制御部２１は、ドキュメントファイルＦのプロパティ領域Ｐ、又はドキュメント本体Ｄのヘッダー等を参照して、ページ毎の心拍数情報を取得する。
【００４９】
［プリンタードライバーの処理の流れ］
図７は、クライアント端末２０に格納されたプリンタードライバー２４２の処理の流れを示すフローチャートである。全体制御部２１が記憶部２４に格納されたプリンタードライバー２４２のプログラムを実行することで、本フローチャートの処理が実現される。
【００５０】
全体制御部２１は、ドキュメントの印刷を指示されると、まず印刷設定の事前設定を取得する（Ｓ１１）。印刷設定の事前設定は、予め記憶部２４に保存されている。また、印刷設定の事前設定は、ネットワーク２を介して印刷装置１０や外部機器から受信してもよい。
【００５１】
図８は、印刷設定の事前設定の例を示す。
図８の印刷設定は、ユーザーが事前に設定した印刷設定の例である。デフォルトの印刷設定として、カラー設定は‘モノクロ’、用紙サイズは‘Ａ４’が指定されている。また、平均心拍数が８０回／分以上に該当するページ用の印刷設定として、カラー設定は‘カラー’、用紙サイズは‘Ａ３’が指定されている。
【００５２】
心拍数が規定値以上であるページをカラー印刷及び用紙サイズを大型化して印刷することで、ユーザーが興味を持っていると推測されるページを見やすく印刷することができる。なお、図８に示す印刷設定の事前設定は、後からユーザーが操作部２６により任意に変更可能である。
【００５３】
図７の説明に戻る。次に、全体制御部２１は、ドキュメントに保存されたページ毎の心拍数情報を読み出す（Ｓ１２）。そして、全体制御部２１は、事前の印刷設定とページ毎の心拍数情報から、ページ毎の印刷設定を判定する（Ｓ１３）。
【００５４】
図９は、ページ毎の平均心拍数データとプリンタードライバー２４２の印刷設定の例を示す。
ユーザーの平均心拍数は、ページ番号が‘３’のときに‘８５’と最も高い。全体制御部２１は、図５のページ毎の平均心拍数データと図８の印刷設定の事前設定とから、ページ番号‘３’のカラー印刷を‘カラー’、用紙サイズを‘Ａ３’と判定する。その他のページの印刷設定は、‘モノクロ’及び‘Ａ４’と判定する。
【００５５】
全体制御部２１は、判定したページ毎の印刷設定に従い、ページ毎に印刷設定がなされた印刷ジョブを生成する（Ｓ１４）。全体制御部２１は、ネットワーク通信Ｉ／Ｆ２７を介して、生成した印刷ジョブを印刷装置１０へ送信する（Ｓ１５）。ステップＳ１５の処理が終了したら、本フローチャートの処理が終了する。
【００５６】
以上の処理が、心拍数情報を利用する場合のドキュメント閲覧ソフトウェア２４１、及びプリンタードライバー２４２のそれぞれの処理である。印刷装置１０は、クライアント端末２０から出力された印刷ジョブをネットワーク２経由で受信し、印刷ジョブのページ毎の印刷設定に従って印刷処理を行う。
【００５７】
上述した第１の実施形態によれば、ユーザーは、クライアント端末２０に心拍数情報に応じた印刷設定を事前に設定しておくだけでよい。ユーザーのドキュメント閲覧時のページ毎の心拍数情報が自動でドキュメント自体へ記録される。プリンタードライバー２４２は、印刷設定の事前設定と、ユーザーのページ毎の心拍数情報とを参照して、自動でページ毎の印刷設定を行い、ページ毎に印刷設定がなされた印刷ジョブを生成することが可能となる。
【００５８】
それゆえ、本実施形態では、印刷コストを抑えつつ、印刷するドキュメントのうちユーザーにとって興味のある（重要と考えられる）ページだけを見やすく印刷することが容易になる。また、本実施形態は、ユーザーの生態情報（心拍数）を利用して得られたユーザーの興味度情報を、ページ毎の印刷設定に反映して印刷ジョブを生成するため、ユーザーに手間をかけることなく、ページ単位の印刷設定を実現できる。
【００５９】
＜２．第２の実施形態＞
第２の実施形態は、第１の実施形態の興味度検出部がドキュメントを閲覧中のユーザーの脳波を測定する構成としたものである。
【００６０】
図１０は、第２の実施形態に係るクライアント端末のハードウェア構成例を示すブロック図である。
図１０のクライアント端末２０は、脳波を測定する興味度検出部３０Ａが接続されている点を除いて、第１の実施形態のクライアント端末２０（図３参照）と同じ構成である。
【００６１】
興味度検出部３０Ａは、全体制御部２１の制御の下で、ドキュメントを閲覧中のユーザーの生体情報として脳波を測定し、脳波に基づいてドキュメントに対するユーザーの興味度（興味度情報）を計算するデバイスである。興味度検出部３０Ａは、脳波を読み取るセンサーを有し、ユーザーの生体に装着して脳波を測定及び解析する。脳波を測定するデバイスには、頭に装着するヘッドセット型のものなどがある。脳波を読み取るセンサーとして周知慣用技術を用いることができるが、一例として株式会社電通サイエンスジャムの感性アナライザを利用することで、測定した脳波から算出した興味度を取得することができる。
【００６２】
［ドキュメント閲覧ソフトウェアの処理の流れ］
図１１は、クライアント端末２０に格納されたドキュメント閲覧ソフトウェア２４１の処理の流れを示すフローチャートであり、興味度（興味度情報）の検出にユーザーの脳波を利用する例である。脳波から算出した興味度情報の保存先としてローカルストレージ（記憶部２４）を利用する。
【００６３】
ステップＳ２１〜ステップＳ２７までの処理は、第１の実施形態（図４）のステップＳ１〜Ｓ７の処理と基本的に同じであるので、以下相違点を中心に説明する。
【００６４】
ステップＳ２３においてユーザーによるドキュメントを閉じる操作が行われた場合（Ｓ２３のＹｅｓ）、全体制御部２１は、クライアント端末２０の興味度検出部３０Ａから、ユーザーの時刻情報ごとの興味度情報として脳波に基づく興味度を取得する（Ｓ２５）。
【００６５】
次に、全体制御部２１は、ページ番号と時刻情報、及び、時刻情報ごとの興味度を元に、ユーザーが閲覧したページ毎の興味度を取得する（Ｓ２６）。そして、全体制御部２１は、ページ毎の興味度を自装置のローカルストレージ即ち記憶部２４に保存する（Ｓ２７）。ステップＳ２７の処理が終了したら、本フローチャートの処理が終了する。
【００６６】
図１２は、脳波から算出したページ毎の興味度データの例を示す。
図１２に示すように脳波から算出したページ毎の興味度データは、ページ番号、及び該当ページを閲覧中の脳波から算出した興味度データ（％）で構成される。図１２の例では、ページ番号‘３’のときユーザーの興味度が‘７５’と最も高い。
【００６７】
［プリンタードライバーの処理の流れ］
図１３は、クライアント端末２０に格納されたプリンタードライバー２４２の処理の流れを示すフローチャートである。ステップＳ３１〜ステップＳ３５までの処理は、第１の実施形態（図７）のステップＳ１１〜Ｓ１５の処理と基本的に同じであるので、以下相違点を中心に説明する。
【００６８】
全体制御部２１は、ドキュメントの印刷を指示されると、まず印刷設定の事前設定を取得する（Ｓ３１）。
【００６９】
図１４は、脳波から算出した興味度を利用した印刷設定の事前設定の例を示す。
図１４の印刷設定は、ユーザーが事前に設定した印刷設定の例である。デフォルトの印刷設定として、カラー設定は‘モノクロ’、ページ割り付けは‘２ｉｎ１’が指定されている。また、脳波から算出した興味度が７０％以上に該当するページ用の印刷設定として、カラー設定は‘カラー’、ページ割り付けは‘１ｉｎ１’が指定されている。２ｉｎ１は、１枚の用紙の一面に２ページを割り付ける印刷設定であり、１ｉｎ１は、１枚の用紙の一面に１ページを割り付ける印刷設定である。
【００７０】
興味度が規定値以上であるページをカラー印刷及びページ割り付け数を少なくして印刷することで、ユーザーが興味を持っていると推測されるページを見やすく印刷することができる。なお、図１４に示す印刷設定の事前設定は、後からユーザーが操作部２６により任意に変更可能である。
【００７１】
次に、全体制御部２１は、ロールストレージ（記憶部２４）に保存されたページ毎の脳波から算出した興味度を読み出す（Ｓ３２）。そして、全体制御部２１は、事前の印刷設定とページ毎の脳波から算出した興味度から、ページ毎の印刷設定を判定する（Ｓ３３）。
【００７２】
図１５は、ページ毎の脳波から算出した興味度データとプリンタードライバー２４２の印刷設定の例を示す。
ユーザーの脳波から算出した興味度は、ページ番号が‘３’のときに‘７５’と最も高い。全体制御部２１は、図１２のページ毎の脳波から算出した興味度データと図１４の印刷設定の事前設定とから、ページ番号‘３’のカラー印刷を‘カラー’、ページ割り付けを‘１ｉｎ１’と判定する。その他のページの印刷設定は、‘モノクロ’及び‘２ｉｎ１’と判定する。
【００７３】
全体制御部２１は、判定したページ毎の印刷設定に従い、ページ毎に印刷設定がなされた印刷ジョブを生成し（Ｓ３４）、その印刷ジョブを印刷装置１０へ送信する（Ｓ３５）。ステップＳ３５の処理が終了したら、本フローチャートの処理が終了する。
【００７４】
以上の処理が、脳波に基づく興味度を利用する場合のドキュメント閲覧ソフトウェア２４１、及びプリンタードライバー２４２のそれぞれの処理である。
【００７５】
上述した第２の実施形態によれば、ユーザーのドキュメント閲覧時のページ毎の脳波に基づく興味度が自動でローカルストレージ（記憶部２４）へ記録される。プリンタードライバー２４２は、印刷設定の事前設定と、ユーザーのページ毎の脳波に基づく興味度とを参照して、自動でページ毎の印刷設定を行い、ページ毎に印刷設定がなされた印刷ジョブを生成することが可能となる。それゆえ、本実施形態では、第１の実施形態と同様に、印刷コストを抑えつつ、ユーザーにとって興味のあるページだけを見やすく印刷することが容易になる。
【００７６】
＜３．第３の実施形態＞
第３の実施形態は、第１の実施形態の興味度検出部がドキュメントを閲覧中のユーザーの視線を測定する構成としたものである。
【００７７】
図１６は、第３の実施形態に係るクライアント端末のハードウェア構成例を示すブロック図である。
図１６のクライアント端末２０Ａは、ユーザーの視線を測定する興味度検出部３０Ｂを備える点を除いて、図３のクライアント端末２０と同じ構成である。
【００７８】
興味度検出部３０Ｂは、全体制御部２１の制御の下で、ドキュメントを閲覧中のユーザーの生体情報として視線の動きを測定し、視線の動きに関する情報（視線情報）を興味度情報として計算するデバイスである。興味度検出部３０Ａは、ユーザーの眼球を撮影するイメージセンサ（撮像装置）を有し、撮影した画像データを元にユーザーの視線の動きを測定及び解析する。この興味度検出部３０Ｂは、第１及び第２の実施形態の興味度検出部３０，３０Ｂ（図３及び図１０参照）と同様に、クライアント端末２０Ａに外付けされ、デバイス通信Ｉ／Ｆ２８とデータ通信を行うようにしてもよい。
【００７９】
一例として興味度検出部３０Ａは、視線の移動距離、視線の移動頻度、又は一定エリアに視線が留まっている時間等を検出する。視線の移動距離が長いほど、視線の移動頻度が高いほど、又は一定エリアに視線が留まっている時間が長いほど、ユーザーが該当ページに興味を持っていると推定できる。視線の動きを測定するデバイスとして、周知慣用技術を用いることができるため、詳細な説明は割愛する。
【００８０】
クライアント端末２０における視線情報を利用した動作（ドキュメント閲覧ソフトウェア及びプリンタードライバーの処理）は、基本的に第１の実施形態と同じである。本実施形態では、興味度情報として、視線の移動距離、視線の移動頻度、又は一定エリアに視線が留まっている時間等を検出する。また、興味度情報を、ドキュメントファイル又はローカルストレージに保存する。
【００８１】
このような第３の実施形態によれば、視線情報を利用して、第１及び第２の実施形態と同様の効果が得られる。例えば視線情報として視線の移動距離を利用することで、ドキュメント本文の行数が多くて閲覧のために視線を何度も往復する必要があるページを判別して、印刷設定を行うことが可能となる。
【００８２】
＜４．第４の実施形態＞
第４の実施形態に係る印刷設定システムは、第１の実施形態に係る印刷設定システム１Ａに更に複数のクライアント端末とサーバーを設けた例である。なお、以下の説明において興味度情報として心拍数情報を例に説明するが、脳波又は視線情報を利用してもよいことは勿論である。
【００８３】
［印刷設定システムの全体構成］
図１７は、本発明の第４の実施形態に係る印刷設定システムの全体構成例を示す概略図である。
図１７に示す印刷設定システム１Ａでは、印刷装置１０、４台のクライアント端末２０、及びサーバー４０がＬＡＮ等のネットワーク２に接続され、ネットワーク２を介して相互に通信可能に構成されている。４台のクライアント端末２０はそれぞれ、ユーザーＡ〜Ｄの異なるユーザーが使用するものとする。各クライアント端末２０には、興味度検出部３０が接続されている。なお、クライアント端末２０の台数は４台に限定されない。
【００８４】
印刷装置１０及び各クライアント端末２０のハードウェア構成は、第１の実施形態の印刷装置１０（図２）及びクライアント端末２０（図３）と同じである。以下にサーバー４０のハードウェア構成を説明する。
【００８５】
［サーバーの構成］
図１８は、サーバー４０のハードウェア構成例を示すブロック図である。
サーバー４０の基本的な構成は、クライアント端末２０と類似している。サーバー４０は、全体制御部４１、メモリ４２、記憶部４４、操作部４６、ネットワーク通信Ｉ／Ｆ４７、及び表示部４９を備える。なお、表示部４９は削除してもよい。
【００８６】
全体制御部４１は、演算処理を行うとともに、各モジュールの統括的な制御及びモジュール間のデータの受け渡しを行う。全体制御部４１は、ＣＰＵ又はＭＰＵ等の演算処理装置により構成される。全体制御部４１は、本実施形態に係る各機能を実現するソフトウェアのプログラムコードを記憶部４４から読み出して実行する。
【００８７】
メモリ２２は、全体制御部４１のワークエリアとして機能するメモリ（主記憶装置）であり、ＲＡＭ等により構成される。またメモリ４２には、演算処理の途中に発生した変数やパラメータ等が一時的に書き込まれる。
【００８８】
記憶部４４は、メモリ４２の補助的な役割を担う記憶装置（補助記憶装置）であり、通常長時間データを保存することが可能な仕組みを有する。記憶部４４には、ＨＤＤ、ＳＳＤ、フレキシブルディスク、光ディスク、光磁気ディスク、ＣＤ−ＲＯＭ、ＣＤ−Ｒ、磁気テープ、不揮発性のメモリカード等が用いられる。この記憶部４４には、ＯＳ及び各種のパラメータの他に、サーバー４０を機能させるためのプログラムが格納されている。
【００８９】
操作部４６は、ユーザーの操作内容に応じた入力信号を生成し、全体制御部４１へ出力する。操作部４６は、キーボード、マウス等が用いられる。また操作部４６に、表示部４９に積層されたタッチパネルを適用することもできる。
【００９０】
ネットワーク通信Ｉ／Ｆ４７は、例えばＮＩＣ等が用いられる。ネットワーク通信Ｉ／Ｆ４７は、ＬＡＮ等のネットワーク２を介してクライアント端末２０との間で、各種データを送受信することが可能である。また、ネットワーク通信Ｉ／Ｆ４７は、ＩＰプロトコル等を用いて、ネットワーク２に接続された印刷装置１０及びクライアント端末２０を検索するための通信を行う。
【００９１】
表示部４９は、例えば液晶ディスプレイモニター（表示パネル）などのデバイスであり、クライアント端末２０で行われる処理の結果等を画面に表示する。
【００９２】
［ドキュメント閲覧ソフトウェアの処理の流れ］
図１９は、第４の実施形態に係るクライアント端末に格納されたドキュメント閲覧ソフトウェアの処理の流れを示すフローチャートである。ステップＳ４１〜ステップＳ４７までの処理は、第１の実施形態（図４）のステップＳ１〜Ｓ７の処理と基本的に同じであるので、詳細な説明を割愛する。ステップＳ４７の処理において、ページ毎の心拍数情報をサーバー４０へ保存する点が第１の実施形態と異なる。
【００９３】
サーバー４０は、複数のクライアント端末２０から受信した、複数のユーザーのページ毎の心拍数情報を記憶部４４に記憶する（Ｓ４７）。このように各クライアント端末２０で得られたユーザーの情報をサーバー４０へアップロードすることで、複数のユーザーの統計情報を取得することができる。以下に、サーバー４０の動作を説明する。
【００９４】
［サーバーの処理の流れ］
図２０は、サーバー４０の処理の流れを示すフローチャートである。サーバー４０の全体制御部４１が記憶部４４に格納されたプログラムを実行することで、本フローチャートの処理が実現される。
【００９５】
サーバー４０の全体制御部４１は、クライアント端末２０の各々から、各ユーザーが閲覧するドキュメントのページ毎の心拍数情報を受信する（Ｓ５１）。そして、全体制御部４１は、受信したページ毎の心拍数情報を、クライアント端末２０（又はユーザー）の識別情報と対応づけて保存する。例えばクライアント端末２０の識別情報として、ＩＰアドレスやＭＡＣアドレス、ユーザーがクライアント端末２０にログインしたときのログインＩＤやドキュメント閲覧ソフトウェアを利用する際のユーザーＩＤなどを利用できる。
【００９６】
次に、全体制御部４１は、記憶部４４に複数のユーザー（即ち複数のクライアント端末２０）のページ毎の心拍数情報が保存されているか否かを判定する（Ｓ５２）。複数のユーザーのページ毎の心拍数情報が保存されていない場合には（Ｓ５２のＮｏ）、本フローチャートの処理を終了する。なお、この場合には、サーバー４０にページ毎の心拍数情報を送信したクライアント端末２０は、図７のプリンタードライバーの処理を実行してもよい。
【００９７】
一方、複数のユーザーのページ毎の心拍数情報が保存されている場合には（Ｓ５２のＹｅｓ）、全体制御部４１は、複数のユーザーのページ毎の心拍数情報の平均値（心拍数平均値情報）を算出する（Ｓ５３）。
【００９８】
次に、全体制御部４１は、複数のユーザーのページ毎の心拍数情報の平均値を、ページ毎の心拍数情報を送信してきたクライアント端末２０へ送信する（Ｓ５４）。ステップＳ５４の処理が終了したら、本フローチャートの処理を終了する。
【００９９】
図２１は、サーバー４０上にアップロードされたページ毎の平均心拍数データとその平均値の例を示したものである。
図２１の例は、クライアント端末２０のユーザーＡ〜Ｃの３名からアップロードされたページ番号毎の平均心拍数（回／分）と、ユーザーＡ〜Ｃの平均心拍数の平均値を示している。この例では、ページ番号‘４’のとき３名のユーザーの平均心拍数の平均値が‘８１．７’と最も高くなっている。
【０１００】
［プリンタードライバーの処理の流れ］
図２２は、第４の実施形態に係るクライアント端末に格納されたプリンタードライバーの処理の流れを示すフローチャートである。
ステップＳ６１〜ステップＳ６５までの処理は、第１の実施形態（図７）のステップＳ１１〜Ｓ１５の処理と基本的に同じであるので、詳細な説明を割愛する。ここで、ステップＳ６１における印刷設定の事前設定は、例えば図８に例示したものと同じとする。
【０１０１】
ステップＳ６２の処理において、全体制御部４１が、複数のユーザーのページ毎の心拍数情報の平均値（心拍数平均値情報）を、サーバー４０から取得する点が第１の実施形態と異なる。サーバー４０から取得した複数のユーザーのページ毎の心拍数情報の平均値は、ドキュメント自体又はローカルストレージ（記憶部４４）に保存される。そして、サーバー４０から取得した複数のユーザーのページ毎の心拍数情報の平均値と、事前の印刷設定を利用することで、ページ毎の印刷設定が行われる。
【０１０２】
図２３は、サーバー４０上にアップロードされたページ毎の平均心拍数データとプリンタードライバーの印刷設定の例を示す。
ユーザーの平均心拍数の平均値は、ページ番号が‘４’のときに‘８５’と最も高い。該当クライアント端末２０の全体制御部２１は、図２３のページ毎の平均心拍数の平均値と図８の印刷設定の事前設定とから、ページ番号‘４’のカラー印刷を‘カラー’、用紙サイズを‘Ａ３’と判定する。その他のページの印刷設定は、‘モノクロ’及び‘Ａ４’と判定される。
【０１０３】
以上の処理が、興味度情報の保存先としてサーバーを利用する場合のドキュメント閲覧ソフトウェア２４１、及びプリンタードライバー２４２のそれぞれの処理である。
【０１０４】
上述した第４の実施形態によれば、第１〜第３の実施形態と同様の効果に加え、次のような効果がある。例えば、サーバー４０へアップロードされた興味度情報（図２１参照）を利用することで、一度も対象ドキュメントを閲覧したことのないユーザーＤ（図１７参照）であっても、プリンタードライバー２４２が自動でページ毎の印刷設定を行いながら印刷ジョブを生成することが可能となる。
【０１０５】
＜５．その他＞
上述した第１〜第４の実施形態において、興味度情報として心拍数情報、脳波から算出した興味度、視線の動き（視線情報）を例示したが、その他の生態情報を利用してもよいことは勿論である。
【０１０６】
また、第１〜第４の実施形態では、ユーザーがドキュメントを閉じる操作を行ったときに、興味度検出部から時刻ごとの興味度情報を取得する構成としたが、この例に限られない。ユーザーが操作部１６を操作して該当ドキュメントの印刷を指示したときに、興味度検出部から時刻ごとの興味度情報を取得するようにしてもよい。これにより、クライアント端末は、ユーザーがドキュメントを閲覧中であっても、閲覧済みのページに対するユーザーの生体情報に基づいてページ毎の印刷設定を行うことができる。
【０１０７】
また、第１〜第４の実施形態では、ドキュメント閲覧ソフトウェア２４１とプリンタードライバー２４２を一つのプログラムとして構成してもよい。
【０１０８】
また、第２の実施の形態では興味度検出部３０Ａがユーザーの脳波を解析して興味度を算出したが、この例に限定されない。クライアント端末２０が興味度検出部３０Ａからユーザーの脳波データを取得し、その脳波データを解析してユーザーのページ毎の興味度を算出してもよい。
【０１０９】
また、第４の実施形態において、ドキュメントを閲覧したユーザーが使用するクライアント端末２０がサーバー４０に興味度情報取得要求を送信し、サーバー４０から他のユーザーの興味度情報を取得するようにしてもよい。そして、クライアント端末２０が、複数のユーザーのページ毎の興味度情報の平均値を計算し、その興味度情報の平均値を利用してページ単位の印刷設定を行うようにしてもよい。
【０１１０】
さらに、本発明は上述した各実施形態例に限られるものではなく、特許請求の範囲に記載した本発明の要旨を逸脱しない限りにおいて、その他種々の応用例、変形例を取り得ることは勿論である。
【０１１１】
例えば、上述した実施形態例は本発明を分かりやすく説明するために装置及びシステムの構成を詳細且つ具体的に説明したものであり、必ずしも説明した全ての構成を備えるものに限定されるものではない。また、ある実施形態例の構成の一部を他の実施形態例の構成に置き換えることは可能である。また、ある実施形態例の構成に他の実施形態例の構成を加えることも可能である。また、各実施形態例の構成の一部について、他の構成の追加、削除、置換をすることも可能である。
【０１１２】
また、本明細書において、時系列的な処理を記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【符号の説明】
【０１１３】
１，１Ａ…印刷設定システム、  １０…画像形成装置、  １１…全体制御部、  １２…メモリ、  １３…画像処理部、  １４…記憶部、  １５…画像形成部、  １６…操作部、  １７…ネットワーク通信Ｉ／Ｆ、  ２０，２０Ａ…クライアント端末、  ２１…全体制御部、  ２２…メモリ、  ２４…記憶部、  ２６…操作部、  ２７…ネットワーク通信Ｉ／Ｆ、  ２８…デバイス通信部Ｉ／Ｆ、  ２９…表示部、  ３０，３０Ａ，３０Ｂ…興味度検出部、  ４０…サーバー、  ４１…全体制御部、  ４４…記憶部、  ２４１…ドキュメント閲覧ソフト、  ２４２…プリンタードライバー
【図１】
2018092304.tif 000003
【図２】
2018092304.tif 000004
【図３】
2018092304.tif 000005
【図４】
2018092304.tif 000006
【図５】
2018092304.tif 000007
【図６】
2018092304.tif 000008
【図７】
2018092304.tif 000009
【図８】
2018092304.tif 000010
【図９】
2018092304.tif 000011
【図１０】
2018092304.tif 000012
【図１１】
2018092304.tif 000013
【図１２】
2018092304.tif 000014
【図１３】
2018092304.tif 000015
【図１４】
2018092304.tif 000016
【図１５】
2018092304.tif 000017
【図１６】
2018092304.tif 000018
【図１７】
2018092304.tif 000019
【図１８】
2018092304.tif 000020
【図１９】
2018092304.tif 000021
【図２０】
2018092304.tif 000022
【図２１】
2018092304.tif 000023
【図２２】
2018092304.tif 000024
【図２３】
2018092304.tif 000025